(57)【要約】【課題】全世界の硬貨をレールを使って簡単に選別し硬貨別に収納できる硬貨選別具レールの提供である。【解決の手段】本体レール１に硬貨選別孔１１、１２、１３、１４、１５、を開口し案内レール２を接着し硬貨２３を上から滑り転がし硬貨流動調整板２２を通し各硬貨選別孔を通過するときに硬貨２３の寸法に合った場所の孔から降下し硬貨受け箱４に選別収納る硬貨選別具レール。【選択図】  図１
2004334809.tif 000002
【特許請求の範囲】
【請求項１】
本体レール（１）に案内レール（２）を接着し本体レール上部（２５）から本体レール下部（２６）方向に硬貨選別孔（１１，１２，１３，１４，１５）を設け硬貨選別孔（１１）の本体レール上部（２５）方向に硬貨流動調整板（２２）を設けた硬貨選別具レール。
【請求項２】
本体レール（１）の中央山部下に高さ調整支柱（６）に高さ調整下支柱（７）を内挿し高さ調整締め具（８）を設け硬貨選別孔（１５）の本体レール下部（２６）方向のレール下部にヒンジ凸支柱（１９）を接合し、ヒンジ凹支柱（１０）を本体台（５）に接合し、凸凹をヒンジ止め具（２０）で連結した請求項１記載の硬貨選別具レール。
【請求項３】
本体台（５）に箱ずれ防止具（１８）を接着し本体台（５）の下部の四隅に滑り止め台（１６）を止めネジ（１７）で止着し、箱ずれ防止具（１８）の間に硬貨受け箱（４）を装着し本体レール（１）下部に硬貨（２３）の硬貨飛出し防止スカート（２１）を付着し、箱ストッパ（３）を設けた請求項１記載の硬貨選別具レール。
【発明の詳細な説明】
【０００１】
【発明の属する技術分野】
本発明は、硬貨を大きさに合わせ簡単に選別具に関する物である。
【０００２】
【従来の技術】
従来の硬貨選別機は、電源を使用した物が多く製造方法も複雑になりコスト的にも高価な物が多い。（例えば、特開平１０−０７９０６７・特開平成０９−２９３１５４号公報参照）。
【０００３】
【発明が解決しようとする課題】
従来の硬貨選別機は、価格的に高く小売店や個人などが購入して使用するのが大変な負担有り、そのぶん手数を掛けて選別をしていた。
【０００４】
【課題を解決するための手段】
前項の目的を達成させるために、本発明の請求項１記載の発明は、本体レール１に案内レール２を接着し本体レール１に硬貨選別孔１１，１２，１３，１４，１５を設け硬貨選別孔１１の本体レール上部２５方向に硬貨流動調整板２２を設けた硬貨選別具レールである。
【０００５】
本発明の請求項２記載の発明は、本体レール１の中央山部下（本体レール１の裏面）に高さ調整支柱６に高さ調整下支柱７を内挿し高さ調整止め具８を設け硬貨選別孔１５の本体レール下部方向の中央山下部（本体レール１の裏面）にヒンジ凸支柱１９を接合しヒンジ凹支柱１０を本体台５接合し、凸凹をヒンジ止め具２０で連結し硬貨選別を調整出来るように講じた物である。
【０００６】
本発明の請求項３記載の発明は、本体台５に箱ずれ防止具１８を接着し本体台５の下部、四隅に滑り止め台１６を止めネジ１７で止着し箱ずれ防止具１８の間に硬貨受け箱４を装着し本体レール１の下部に硬貨２３の硬貨飛出し防止スカート２１を付着し、箱ストッパー３を設け講じたものである。
【０００７】
【作用】
本発明は、上記の手段を講じたので、本体レール１を高さ調整締め具８を利用し本体レール上部２５の部分を硬貨を滑らす角度まで持ち上げて調整し、本体台５に硬貨受け箱４を設置、硬貨流動調整板２２の本体レール上部２５の中央部付近に硬貨を放す事により硬貨が滑り出し硬貨選別孔１１、１２、１３、１４、１５および本体レール下部２６を滑り硬貨２３は大きさに、合った硬貨受け箱４に収納選別される。
【０００８】
【発明の実施の形態】
本発明は、上記の手段を講じたので、簡単な構造で硬貨を選別出来る用にしたものである。
以下、本発明の実施の形態について図面を参照して説明すると、図１において本体台５の下部四隅に滑り止め台１６設け止めネジ１７で固定した。また、箱ガード３と箱ずれ防止具１８を設けて受け硬貨受け箱４と硬貨飛出し防止スカート２１を設ける事により選別された硬貨を正確に収納できる。
【０００９】
図２に示される実施例では、本体台５の上に高さ調整下支柱７を接合し高さ調整支柱６の内挿し高さ調整締め具８を設け、硬貨選別１５の下部にヒンジ凹支柱１０を本体台５に接合しヒンジ凸支柱１９をヒンジ止め具２０で連結し本体レール１の裏面に接合し本体レール１に案内レール２接着し本体レール１に硬貨選別孔１１、１２、１３、１４、１５、を孔開け硬貨流動調整板２２を設置したものである。
【００１０】
図３に示される実施例では、本体レール１を左右に設け両側に案内レール２を接着し本体レール上部２５の部分に硬貨流動調整板２２を設け本体レール下部２６方向に向って硬貨選別孔１１から順番に、その国で扱っている硬貨の小さい物から硬貨選別孔を開口していく、日本硬貨を例に取って上げれば、硬貨選別孔１１は、一円、１２は五十円、１３は五円、１４は百円、１５は十円、本体レール下部２６から落下硬貨は五百円になる。１１から１５までは硬貨に合わせた開口を設ける。
【００１１】
図４に示したＡ−Ａ断面図は、本体レール上部２５から本体レール下部２６の本体レール１と硬貨選別孔１１から硬貨選別孔１５の断面を表したものである。又、硬貨飛出し防止スカート２１と硬貨流動調整板２２を設置したものである。
【００１２】
図５に示される実施例では、本体台５に滑り止め具１６を止めネジ１７で止着し箱ガード３を片方に設け、高さ調整下支柱７を接合し高さ調整支柱６に内挿入し高さ調整止め具８からなるものであり高さを調整できる。本体レール１の中央部を山形にした中央部下に高さ調整支柱６の上部を接合してなるものであり、図６は、本体レール１と高さ調整支柱６を拡大した図でる。
【００１３】
図７に示される実施例では、上記の図５の本体台５の説明にヒンジ凹支柱１０を接合しヒンジ凸支柱１９をヒンジ止め具２０で連結しヒンジ凸支柱１９の上部を本体レール１の中央部下に接合したものであり、本体レール１を支え高さ調整に使用するものである。
【００１４】
図８に示される実施例では、本体レール１と案内レール２に硬貨流動調整板２２を設けた一部分の斜視図である。
【００１５】
図９に示される実施例では、本体レール１に案内レール２を接着し本体レール１に各硬貨選別孔を開口し硬貨２３を本体レール１に表か裏を接触させ案内レール２に硬貨の周囲の縁を接触するようにレールの角度を決め各硬貨を本体レール上部２５から硬貨流動調整板２２を通す事より硬貨２３が一枚ずつ動き本体レール下部２６方向に流動し各硬貨選別孔を通過する時に決められた開口寸法に硬貨２３が選別収納される。図９に示した一例は、硬貨選別孔１３で日本円硬貨で五円の選別される様子を表した物である。
【００１６】
図１０に示した実施例では、本体レール１と案内レール２の二面に接触しながら硬貨選別孔を通過する時に硬貨２３の縦開口は約３倍、横開口は硬貨の直径から−２、５ミリ小さく開口する事により正確に決められた場所に硬貨を落下させることができる。
【発明の効果】
本発明を使用することにより次の効果が認められる。
１・・・簡単な構造で正確に硬貨の選別が出来る。
２・・・硬貨選別孔を変える事により全世界の硬貨に使用できる。
３・・・手動なので電源が不必要なので、場所を選ばない。
４・・・選別しながら硬貨の流れが確認できる。
５・・・硬貨の滑り具合に合わせ角度を調整できる。
【図面の簡単な説明】
【図  １】本発明の一実施形態を示す正面図
【図  ２】本発明の一実施形態を示す平面図
【図  ３】本発明の一実施形態を示す本体レールの平面図
【図  ４】本発明の一実施形態を示す本体レールのＡ−Ａ断面図
【図  ５】本発明の一実施形態を示す右側面図
【図  ６】本発明の一実施形態を示す右側面図
【図  ７】本発明の一実施形態を示す左側面図
【図  ８】本発明の一実施形態を示す本体レール部分斜視図
【図  ９】本発明の一実施形態を示す硬貨選別孔と硬貨の動き一例図
【図１０】本発明の一実施形態を示す硬貨の動き一例図
【符号の説明】
１・・本体レール
２・・案内レール
３・・箱  ガード
４・・硬貨受け箱
５・・本体台
６・・高さ調整支柱
７・・高さ調整下支柱
８・・高さ調整締め具
９・・箱把手
１０・・ヒンジ凹支柱
１１・・硬貨選別孔
１２・・硬貨選別孔
１３・・硬貨選別孔
１４・・硬貨選別孔
１５・・硬貨選別孔
１６・・滑り止め台
１７・・止めネジ
１８・・箱ずれ防止具
１９・・ヒンジ凸支柱
２０・・ヒンジ止め具
２１・・硬貨飛出し防止スカート
２２・・硬貨流動調整板
２３・・硬貨
２４・・硬貨流動調整口
２５・・本体レール上部
２６・・本体レール下部
【図１】
2004334809.tif 000003
【図２】
2004334809.tif 000004
【図３】
2004334809.tif 000005
【図４】
2004334809.tif 000006
【図５】
2004334809.tif 000007
【図６】
2004334809.tif 000008
【図７】
2004334809.tif 000009
【図８】
2004334809.tif 000010
【図９】
2004334809.tif 000011
【図１０】
2004334809.tif 000012